(57)【要約】【課題】  複数の肥料散布部を設け、電動シャッタ開度制御装置を備えた肥料散布機において、複数のシャッタ開閉操作を簡単に行え、シャッタ開閉を繰り返しても一度設定したシャッタ開度を保持でき散布量のバラツキをおさえるとともに、片側散布ができる。【解決手段】  複数の肥料散布部はそれぞれ電動でシャッタ開度調節可能で、コントロールボックスに設けられた開度設定ダイヤルでそれぞれ開度設定される。また、これとは独立してシャッタの開閉を動作させる回路が設けてあり、シャッタ開度の設定値を変えることなくシャッタ開閉が行え、一度設定したシャッタ開度で散布作業を中断しても簡単に同量の散布が継続でき、片側のシャッタ開度をゼロにするこで片側散布が行える。【選択図】      図１
2005176642.tif 000002
【特許請求の範囲】
【請求項１】
一つの肥料ホッパーと、肥料ホッパーの下方には複数の肥料繰出口と、それぞれの肥料繰出口には、肥料繰出量を調節するシャッター板が設けられ、それぞれの肥料繰出口下方には、回転する散布部を配したトラクタに装着できる肥料散布機において、それぞれのシャッター板を電動で開度調節可能とし、開度調節は、トラクタ運転席近傍に配置したコントロールボックスに設けられた開度設定ダイヤルで調節可能で、シャッタ開度設定を制御回路上で保持したまま独立してシャッタの開閉動作を制御可能にしたシャッタ開閉スイッチを備えたことを特徴とした肥料散布機。
【請求項２】
複数の肥料散布部のシャッター板は、それぞれ独立して電動で開度調節可能で、シャッタ開度はゼロ設定が可能であり、片側をゼロ設定にして他方のみの制御による片側散布を可能にした請求項１記載の肥料散布機。
【発明の詳細な説明】
【技術分野】
【０００１】
本発明は、肥料散布機のシャッタ開閉装置に関するものであり、特にシャッタの開閉量を任意に設定し遠隔操作できる構成に係る。
【背景技術】
【０００２】
背景技術として、同一出願人による「ホッパとシャッタを有した底板とフレームで支持した散布機をトラクターの一端部に連結するとともに、前記フレームの側部に前記シャッタを作動させる調整ケースを設置し、トラクターのオペレータがこの調整ケースへシャッタの開閉量を遠隔制御するものにおいて、この調整ケースには電動モータ駆動歯車の移動量、あるいはこの駆動軸の伝導部材の移動量をセンサーによって感知測定することによりシャッタの開閉量を任意に制御する手段を具備したことを特徴とした散布機のシャッタ開閉装置」が公知である。（特許文献１）
【特許文献１】特許第３１２２９２３号明細書
【発明の開示】
【発明が解決しようとする課題】
【０００３】
前記背景技術における肥料散布機のシャッタ開閉装置は、トラクタに座乗した状態でシャッタ開度をシャッタ開度設定装置である調整ダイヤルにて任意の開度に調整可能であり、枕地旋回時は調整ダイヤルを「０」にし、散布作業を一時中断して旋回終了後に再び調整ダイヤルにて所望の開度までシャッタを開き散布作業を開始するが、調整ダイヤルを都度回動させ開度調整するため開度設定の誤差が生じ、肥料散布部が複数の場合それぞれ複数の調整ダイヤルの操作が必要で、枕地旋回前と枕地旋回後の散布量にバラツキが生じるという問題がある。
【０００４】
そこで本発明は、散布作業を一時中断して再び散布作業を開始しても設定開度の変わることがないようシャッタ開度制御装置を備え、複数の肥料散布部がそれぞれ独立して肥料散布が可能で、両側散布と片側散布等が可能な肥料散布機を提供することを目的とする。
【課題を解決するための手段】
【０００５】
上記課題を解決するために、一つの肥料ホッパーと、肥料ホッパーの下方には複数の肥料繰出口と、それぞれの肥料繰出口には、肥料繰出量を調節するシャッター板が設けられ、それぞれの肥料繰出口下方には、回転する散布部を配したトラクタに装着できる肥料散布機において、それぞれのシャッター板を電動で開度調節可能とし、開度調節は、トラクタ運転席近傍に配置したコントロールボックスに設けられた開度設定ダイヤルで調節可能で、シャッタ開度設定を制御回路上で保持したまま独立してシャッタの開閉動作を制御可能にしたシャッタ開閉スイッチを備え、また、複数の肥料散布部のシャッター板は、それぞれ独立して電動で開度調節可能で、シャッタ開度はゼロ設定が可能であり、片側をゼロ設定にして他方のみの制御による片側散布を可能にした肥料散布機を提供する。
【発明の効果】
【０００６】
以上のような構成にすることにより、散布作業を一時中断して再び散布作業を開始する時も、複数のシャッタ調整ダイヤルを都度それぞれ回動させ開度調整する必要がなく、一つのシャッタ開閉スイッチの単動作のみで設定した量の肥料を散布することができ、また片側の開度設定ダイヤルをゼロにすることにより他方の散布部のみによる片側散布ができる。
【発明を実施するための最良の形態】
【０００７】
以下、本発明の実施形態を図面に基づいて説明する。図１は本発明の実施例を示す肥料散布機の全体斜視図、図２は本発明の実施例を示す肥料散布機の横断面図、図３は同肥料散布機の肥料繰出口及び散布部の上面図、図４は同肥料散布機の肥料繰出口及び散布部の部分断面側面図、図５は同肥料散布機に備えたシャッタ開度制御装置の回路図、図６はシャッタ開度制御装置のフロー図、図７は同肥料散布機の作業形態図、及び図８は同肥料散布機の後面図を示している。
【０００８】
図１において、全体の構成を説明する。機体フレーム１前方には、トラクタに装着するロアピン１１とトップブラケット１２があり、肥料散布機はトラクタから駆動力を入力軸３０に伝達され駆動する。
【０００９】
シャッタ開閉装置５４は、左右に配置された散布部６に肥料の供給を調節するシャッタをそれぞれ作動させ、肥料ホッパー２に入れた肥料はシャッタを開くと散布部６に供給され散布される。
【００１０】
８1はコントロールボックスで、図示されていないがトラクタ座席近傍に配置され、シャッタ開閉装置５４を作業者が指示作動させる遠隔操作装置である。メインスイッチ８１ａをＯＮすると、シャッタ開度制御装置が作動可能となり、開度設定ダイヤル８１ｂ，８１ｂでシャッタ開度を設定し、シャッタ開閉スイッチ８１ｃをＯＮにすると設定した開度にシャッタはそれぞれ開かれる。シャッタ開閉スイッチ８１ｃをＯＦＦすると、開度設定ダイヤル８１ｂ，８１ｂが開状態であっても、シャッター板はそれぞれ全閉となる。
【００１１】
シャッタが閉じているときはシャッタ全閉ランプ８１ｄ，８１ｄが、シャッタが設定した開度に開いたときはシャッタ開ランプ８１ｅ，８１ｅがそれぞれ点燈する。このシャッタ開閉スイッチ８１ｃを設けることにより、枕地旋回時や肥料の補給時など散布作業を一時中断する場合に、シャッタ開度設定ダイヤル８１ｂを「０」に戻すことなく散布作業を停止することが可能となる。
【００１２】
図２から図４において、本発明を実施した肥料散布機の断面図を示し説明する。機体フレーム１と、上方に配設される肥料ホッパー２をホッパーフレーム２１で支持し固定する。機体フレーム１内の前方に入力軸３０と出力軸３１を有した減速機３を配設し、入力軸３０の回転力は減速機３内のベベルギヤ３ａにより垂直方向へ変換され、平歯車３ｂにより減速され出力軸３１へ伝達される。
【００１３】
肥料ホッパー２の底部に配設された底板４に肥料繰出口４１を開設し、それにシャッター板５１を摺動するように配置し、シャッターレバー５２を回動させ、リンクロット５３ａとリンクアーム５３ｂおよびシャッターリンク５３を介しシャッター板５１を開閉させ、肥料繰出量を調節する。
【００１４】
５４はシャッタ開閉装置で、前記機体フレーム１の前方上部に配置される。シャッタ開閉装置５４は、前記シャッター板５１の開閉作動を電気的に行うもので、モータギヤ５４ａを備えた電動モータＭとモータギヤ５４ａと噛合し、水平方向に軸支されたシャッタギヤプレート５４ｂを有し、このシャッタギヤプレート５４ｂはシャッターレバー５２と連動して動き、リンクロット５３ａとリンクアーム５３ｂおよびシャッタリンク５３を介して、シャッター板５１を作動させる。
【００１５】
８はシャッタ開度制御装置で、前記コントロールボックス８１からの指示により、シャッタ開閉装置５４を作動させるための制御回路が組み込まれていて、シャッタギヤプレート５４ｂの回動軸にはポテンショメータ８２が組み込まれており、シャッタギヤプレート５４ｂの回動量情報をシャッタ開度制御装置８に伝える。
【００１６】
肥料繰出口４１から繰り出される肥料は、傾斜板６１を介し回転する散布部６に落下し散布される。
【００１７】
７は混合装置で、回転軸７１と回転軸７１の中間部に放射状に伸ばした板、放射板７２を配設し、回転軸７１の上端部に回転軸中心からオフセットした位置により放射方向に突出させて、下方に向け屈曲させた一対のアーム右７３とアーム左７４を設けている。アーム右７３はホッパー底面に近接する部分に配設される混合板７５に向けて伸ばし下端で接合し、アーム右７４は、前記放射板７２の上面に配設した混合板７５に向けて伸ばし下端で接合されたものから構成され、出力軸３１に嵌挿される。
【００１８】
図５，図６において前記シャッタ開度制御装置８の作用を詳しく説明すると、コントロールボックス８１に設けられるメインスイッチ８１ａをＯＮするとシャッタ開度制御装置８が作動可能となり、シャッタ開度設定ダイヤル８１ｂを回動させることによりシャッタ開度を設定することができ、シャッタ開閉スイッチ８１ｃを操作しシャッタの開閉を行う。コントロールボックス８１には開度設定目盛が設けてあり、前記シャッタ開度設定ダイヤル８１ｂを所望のシャッタ開度となるよう開度設定目盛まで回動させることにより、シャッタ開度指示抵抗値ｘをシャッタ開度制御装置８へ出力し電動モータＭを回動させる。
【００１９】
電動モータＭの回動とともにモータギヤ５４ａが回動し、このモータギヤと噛合するシャッタギヤプレート５４ｂを回動させ、このシャッタギヤプレート５４ｂの軸支部に設けられたポテンショメータ８２がシャッタギヤプレート５４ｂの回動にともない、電気抵抗値ｙを変位させながらシャッタ開度制御装置８へ出力する。
【００２０】
シャッタ開度設定ダイヤル８１ｂから出力されるシャッタ開度指示抵抗値ｘおよびポテンショメータ８２から出力される電気抵抗値ｙをシャッタ開度制御装置８内に設けられるＣＰＵ８４により抵抗値比較を行い、電動モータＭの回動制御を行う。ｘ＝０でｙ＝０の場合は、シャッタ開度は「０」となりシャッタ全閉ランプ８１ｄが点灯する。ｘ＞ｙの場合はシャッタ開側リレー８３ａが作動し、電動モータＭを開方向へｘ＝ｙとなるまで回転させ、シャッタ６を開方向へ移動させる。ｘ＜ｙの場合はシャッタ閉側リレー８３ｂが作動し、電動モータＭを閉方向へｘ＝ｙとなるまで回転させシャッタ６を閉方向へ移動させる。
【００２１】
又、シャッタ開閉スイッチ８１ｃを「ＯＦＦ」とした場合、シャッタ開度設定ダイヤル８１ｂによるシャッタ開度指示抵抗値ｘの値に関係なく、ポテンショメータ８２の電気抵抗値ｙを「０」となるようにシャッタ閉側リレー８３ｂを作動させ、電動モータＭを閉方向へｙ＝０となるまで回転させシャッター板５１を全閉とする。このように制御することにより、シャッタ開度の設定値を変えることなく独立してシャッタ開閉を行うことができる。
【００２２】
図７は肥料散布作業の形態を示す図で、肥料散布機Ａを後部に装着したトラクタＴが肥料Ｈを散布しながら前進し、枕地Ｂまできたら前記コントロールボックス８１に設けたシャッタ開閉スイッチ８１ｃを「ＯＦＦ」にすると、前記シャッター板５１を全閉とし、散布作業を一時中断することができる。そして、トラクタＴを旋回させ散布開始位置まできたらシャッタ開閉スイッチ８１ｃを「ＯＮ」にすると、シャッタ開度設定ダイヤル８１ｂにて設定されたシャッタ開度までシャッター板５１をスライドさせ散布作業を開始することが可能である。
【００２３】
図８は肥料散布機の後面図であり、左右に配置された散布部６，６のシャッター板５１はそれぞれ独立して開度調節が可能であり、片側のシャッタ開度設定ダイヤルをゼロに設定することで、他方の散布部６のみから散布され片側散布が行われる。
【図面の簡単な説明】
【００２４】
【図１】本発明の実施例を示す肥料散布機の全体斜視図
【図２】本発明の実施例を示す肥料散布機の横断面図
【図３】同肥料散布機の肥料繰出口及び散布部の上面図
【図４】同肥料散布機の肥料繰出口及び散布部の部分断面側面図
【図５】同肥料散布機に備えたシャッタ開度制御装置の回路図
【図６】シャッタ開度制御装置のフロー図
【図７】同肥料散布機の作業形態図
【図８】同肥料散布機の後面図
【符号の説明】
【００２５】
１      機体フレーム
１１    ロアピン
１２    トップブラケット
２      肥料ホッパー
２１    ホッパーフレーム
３      減速機
３０    入力軸
３１    出力軸
３ａ    ベヘルギヤ
３ｂ    平歯車
４      底板
４１    肥料繰出口
５１    シャッター板
５２    シャッターレバー
５３    シャッターリンク
５３ａ  リンクロット
５３ｂ  リンクアーム
５４    シャッタ開閉装置
５４ａ  モータギヤ
５４ｂ  シャッタギヤプレート
６      散布部
６１    傾斜板
７      混合装置
７１    回転軸
７２    放射板
７３    アーム右
７４    アーム左
７５    混合板
８      シャッタ開度制御装置
８１    コントロールボックス
８１ａ  メインスイッチ
８１ｂ  シャッタ開度設定ダイヤル
８１ｃ  シャッタ開閉スイッチ
８１ｄ  シャッタ全閉ランプ
８１ｅ  シャッタ開ランプ
８２    ポテンショメータ
８３ａ  シャッタ開側リレー
８３ｂ  シャッタ閉側リレー
８４    ＣＰＵ（中央集積回路）
Ａ      肥料散布機
Ｂ      枕地
Ｈ      肥料
Ｍ      電動モータ
Ｔ      トラクタ
【図１】
2005176642.tif 000003
【図２】
2005176642.tif 000004
【図３】
2005176642.tif 000005
【図４】
2005176642.tif 000006
【図５】
2005176642.tif 000007
【図６】
2005176642.tif 000008
【図７】
2005176642.tif 000009
【図８】
2005176642.tif 000010